(57)【要約】  中子固定加工を効率よく実行するための加工プログラムを生成するために、本発明の加工プログラム生成技術では、中子を構成する加工形状のうちの中子固定加工を行う箇所の指定を受け付けて、受け付けた指定内容に基づいて、加工形状を、中子固定加工を行う第１の加工形状要素と、当該第１の加工形状要素に接続されている中子固定加工を行わない第２の加工形状要素と、を含む加工形状要素に分割する入力受け付け部（１２１）と、第１の加工形状要素に中子固定加工のための第１の電気条件を割り当て、第２の加工形状要素に第１の電気条件とは異なる第２の電気条件を割り当てる、加工条件設定部（１２２）と、第２の加工形状要素を第２の電気条件で加工し、第２の加工形状要素の加工後に連続して第１の加工形状要素を第１の電気条件で加工する加工プログラムを生成する加工プログラム生成部（１２３）とを備える構成とした。
2013161082.tif 000002
【特許請求の範囲】
【請求項１】
ワイヤ放電加工装置を動作させる加工プログラムを生成する加工プログラム生成装置であって、
中子を構成する加工形状のうちの中子固定加工を行う箇所の指定を受け付けて、前記受け付けた指定内容に基づいて、前記加工形状を、中子固定加工を行う第１の加工形状要素と、当該第１の加工形状要素に接続されている中子固定加工を行わない第２の加工形状要素と、を含む加工形状要素に分割する入力受け付け部と、
前記第１の加工形状要素に中子固定加工のための第１の電気条件を割り当て、前記第２の加工形状要素に第１の電気条件とは異なる第２の電気条件を割り当てる、加工条件設定部と、
前記第２の加工形状要素を前記第２の電気条件で加工し、前記第２の加工形状要素の加工後に連続して前記第１の加工形状要素を前記第１の電気条件で加工する加工プログラムを生成する加工プログラム生成部と、
を備えることを特徴とする加工プログラム生成装置。
【請求項２】
前記第２の電気条件は荒加工のための電気条件または仕上げ加工のための電気条件である、ことを特徴とする請求項１に記載の加工プログラム生成装置。
【請求項３】
前記入力受け付け部はダイ加工であるかパンチ加工であるかを指定する入力を受け付けて、
前記加工プログラム生成部は、
ダイ加工が指定されている場合には、前記中子を構成する加工形状のうちの前記第１の加工形状要素を除く全ての加工形状要素を荒加工のための電気条件で加工するとともに前記第１の加工形状要素を第２の電気条件で加工した後、前記加工プログラムを一時停止し、前記加工プログラムの再開後、前記中子が取り除かれた後のワークに対し、前記第２の加工形状要素を仕上げ加工の電気条件で加工する、第１の加工プログラムを生成し、
パンチ加工が指定されている場合には、前記中子を構成する加工形状のうちの前記第１の加工形状要素を除く全ての加工形状要素を荒加工のための電気条件で加工し、荒加工のための電気条件での加工後、前記中子を構成する加工形状のうちの前記第１の加工形状要素を除く全ての加工形状要素を仕上げ加工のための電気条件で加工し、その後に連続して前記第１の加工形状要素を前記第１の電気条件で加工する、第２の加工プログラムを生成する、
ことを特徴とする請求項２に記載の加工プログラム生成装置。
【請求項４】
加工対象の中子が複数存在する場合には、前記第１の加工プログラムは、前記複数の中子について前記第２の電気条件での加工が完了した後に自プログラムを一時停止する、
ことを特徴とする請求項３に記載の加工プログラム生成装置。
【請求項５】
ワイヤ放電加工装置を動作させる加工プログラムを生成する加工プログラム生成方法であって、
中子を構成する加工形状のうちの中子固定加工を行う箇所の指定を受け付ける入力受け付けステップと、
前記受け付けた指定内容に基づいて、前記加工形状を、中子固定加工を行う第１の加工形状要素と、当該第１の加工形状要素に接続されている中子固定加工を行わない第２の加工形状要素と、を含む加工形状要素に分割する加工形状要素生成ステップと、
前記第１の加工形状要素に中子固定加工のための第１の電気条件を割り当て、前記第２の加工形状要素に第１の電気条件とは異なる第２の電気条件を割り当てる、加工条件設定ステップと、
前記第２の加工形状要素を前記第２の電気条件で加工し、前記第２の加工形状要素の加工後に連続して前記第１の加工形状要素を前記第１の電気条件で加工する加工プログラムを生成する、加工プログラム生成ステップと、
を備えることを特徴とする加工プログラム生成方法。
【請求項６】
前記第２の電気条件は荒加工のための電気条件または仕上げ加工のための電気条件である、ことを特徴とする請求項５に記載の加工プログラム生成方法。
【請求項７】
前記入力受け付け部はダイ加工であるかパンチ加工であるかを指定する入力を受け付ける加工タイプ指定受け付けステップをさらに備え、
前記加工プログラム生成ステップにおいて、
ダイ加工が指定されている場合には、前記中子を構成する加工形状のうちの前記第１の加工形状要素を除く全ての加工形状要素を荒加工のための電気条件で加工するとともに前記第１の加工形状要素を第２の電気条件で加工した後、前記加工プログラムを一時停止し、前記加工プログラムの再開後、前記中子が取り除かれた後のワークに対し、前記第２の加工形状要素を仕上げ加工の電気条件で加工する、第１の加工プログラムを生成し、
パンチ加工が指定されている場合には、前記中子を構成する加工形状のうちの前記第１の加工形状要素を除く全ての加工形状要素を荒加工のための電気条件で加工し、荒加工のための電気条件での加工後、前記中子を構成する加工形状のうちの前記第１の加工形状要素を除く全ての加工形状要素を仕上げ加工のための電気条件で加工し、その後に連続して前記第１の加工形状要素を前記第１の電気条件で加工する、第２の加工プログラムを生成する、
ことを特徴とする請求項６に記載の加工プログラム生成方法。
【請求項８】
加工対象の中子が複数存在する場合には、前記第１の加工プログラムは、前記複数の中子について前記第２の電気条件での加工が完了した後に自プログラムを一時停止する、
ことを特徴とする請求項７に記載の加工プログラム生成方法。
【請求項９】
ワイヤ放電加工装置を動作させる加工プログラムをコンピュータに生成させる複数の命令を記録した記録媒体であって、
前記複数の命令は、前記コンピュータに、
中子を構成する加工形状のうちの中子固定加工を行う箇所の指定を受け付ける入力受け付けステップと、
前記受け付けた指定内容に基づいて、前記加工形状を、中子固定加工を行う第１の加工形状要素と、当該第１の加工形状要素に接続されている中子固定加工を行わない第２の加工形状要素と、を含む加工形状要素に分割する加工形状要素生成ステップと、
前記第１の加工形状要素に中子固定加工のための第１の電気条件を割り当て、前記第２の加工形状要素に第１の電気条件とは異なる第２の電気条件を割り当てる、加工条件設定ステップと、
前記第２の加工形状要素を前記第２の電気条件で加工し、前記第２の加工形状要素の加工後に連続して前記第１の加工形状要素を前記第１の電気条件で加工する加工プログラムを生成する、加工プログラム生成ステップと、
を実行させる、ことを特徴とする記録媒体。
【発明の詳細な説明】
【技術分野】
【０００１】
本発明は、ワイヤ放電加工装置の数値加工を行うＮＣ加工プログラムを生成する加工プログラム生成装置、加工プログラム生成方法、および前記ＮＣ加工プログラムを生成するプログラムを記録した、コンピュータに読み取り可能な記録媒体に関する。
【背景技術】
【０００２】
従来、ワイヤ放電加工装置の数値加工を行うＮＣ加工プログラムを生成するＣＡＭ（computer  aided  manufacturing）装置には、中子を切り落とすための箇所の指定する入力を受け付ける「切落し区間指定」機能が実装されているものがある。この機能によれば、ＣＡＭ装置は、切落し区間の加工前に加工をいったん停止し、オペレータによる加工再開の入力がなされると、切落し加工が実行されるような加工プログラムを生成する。加工プログラムの実行がいったん停止されるのは、切落し加工により抜け落ちた中子がワイヤ放電加工装置の下部ガイド機構に衝突したりすることを防止するために、切落とし加工を実行する際にはオペレータが切り落ちた中子を回収するために現場におけるサポートが必要となるからである。【０００３】
一方、中子の処理を行う技術として、加工中に中子が抜け落ちることを防止するために、電極成分を中子に付着させて切断後の中子を切断面に固定する中子固定加工が公知の技術として存在する（例えば特許文献１参照）。
【先行技術文献】
【特許文献】
【０００４】
【特許文献１】特開昭５７−０９６７２４号公報
【発明の概要】
【発明が解決しようとする課題】
【０００５】
本発明は、上記に鑑みてなされたものであって、中子固定加工を効率よく実行するための加工プログラムを生成する加工プログラム生成装置、加工プログラム生成方法、および中子固定加工を効率よく実行するための加工プログラムを生成するプログラムを記録した記録媒体を得ることを目的とする。
【課題を解決するための手段】
【０００６】
上述した課題を解決し、目的を達成するために、本発明は、ワイヤ放電加工装置を動作させる加工プログラムを生成する加工プログラム生成装置であって、中子を構成する加工形状のうちの中子固定加工を行う箇所の指定を受け付けて、前記受け付けた指定内容に基づいて、前記加工形状を、中子固定加工を行う第１の加工形状要素と、当該第１の加工形状要素に接続されている中子固定加工を行わない第２の加工形状要素と、を含む加工形状要素に分割する入力受け付け部と、前記第１の加工形状要素に中子固定加工のための第１の電気条件を割り当て、前記第２の加工形状要素に第１の電気条件とは異なる第２の電気条件を割り当てる、加工条件設定部と、前記第２の加工形状要素を前記第２の電気条件で加工し、前記第２の加工形状要素の加工後に連続して前記第１の加工形状要素を前記第１の電気条件で加工する加工プログラムを生成する加工プログラム生成部と、を備えることを特徴とする。
【発明の効果】
【０００７】
本発明にかかる加工プログラム生成装置は、中子固定加工の直前に無駄な動作を実行しないので、中子固定加工を効率よく実行するための加工プログラムを生成することができるという効果を奏する。
【図面の簡単な説明】
【０００８】
【図１】図１は、ワイヤ放電加工装置による加工例を説明する図である。
【図２】図２は、比較例にかかる技術を用いたパンチ加工の手順を説明する図である。
【図３】図３は、比較例にかかる技術を用いて生成される、パンチ加工を行うＮＣ加工プログラムの構成を説明する図である。
【図４】図４は、比較例にかかる技術を用いて生成される、ダイ加工を行うＮＣ加工プログラムの構成を説明する図である。
【図５】図５は、本発明の実施の形態の加工プログラム生成装置を適用したＣＡＭ装置の機能構成を示す図である。
【図６】図６は、本発明の実施の形態のＣＡＭ装置のハードウェア構成例を示す図である。
【図７】図７は、本発明の実施の形態のＣＡＭ装置がＮＣ加工プログラムを生成する方法を説明するフローチャートである。
【図８】図８は、目的形状から加工形状要素が生成される様子を説明する図である。
【図９】図９は、設定入力の受け付け処理をさらに詳しく説明するフローチャートである。
【図１０】図１０は、イニシャルホール、アプローチ経路が生成され、加工形状要素が分割される様子を説明する図である。
【図１１】図１１は、中子固定加工箇所の指定を受け付けるための表示画面例を示す図である。
【図１２】図１２は、距離ｘおよび区間ｙの設定例を説明する図である。
【図１３】図１３は、加工形状要素が中子固定加工箇所に指定された区間と指定されていない区間とに分割される様子を説明する図である。
【図１４】図１４は、加工条件が設定された一覧情報のデータ構造例を説明する図である。
【図１５】図１５は、ＮＣ加工プログラム生成部により決定されるパンチ加工の場合の加工工程の実行順番を示す図である。
【図１６】図１６は、パンチ加工を実行するＮＣ加工プログラムを示す図である。
【図１７】図１７は、ダイ加工が指定された場合の最終的な加工形状要素の構成を示す図である。
【図１８】図１８は、ＮＣ加工プログラム生成部により決定されるパンチ加工の場合の加工工程の実行順番を示す図である。
【図１９】図１９は、ダイ加工を実行するＮＣ加工プログラムを示す図である。
【発明を実施するための形態】
【０００９】
以下に、本発明にかかる加工プログラム生成装置、加工プログラム生成方法、および記録媒体の実施の形態を図面に基づいて詳細に説明する。なお、この実施の形態によりこの発明が限定されるものではない。
【００１０】
実施の形態．
図１は、ワイヤ放電加工装置による加工例を説明する図である。図示するように、ワイヤ放電加工装置は、形状１を保持具に保持しながら、形状１から４つの形状２（形状２ａ〜２ｄ）を切り出す加工を行うことが可能である。形状２が切り出された後の形状１が目的とされるものである場合には、形状２を切り出す加工はダイ加工と呼ばれる。また、形状２が目的とされるものである場合には、形状２を切り出す加工はパンチ加工と呼ばれる。なお、切り出される側の形状である形状２は、中子と呼ばれる。
【００１１】
まず、本発明の実施の形態と比較される技術として、切落とし加工を用いて中子を切り出す技術（以下、比較例にかかる技術）について説明する。
【００１２】
図２は、比較例にかかる技術を用いたパンチ加工の手順を説明する図である。まず、（ａ）に示すように、形状２の外周の形状に対応する矩形の加工形状２１と、最初にワイヤを通す穴（イニシャルホール２２）と、イニシャルホール２２から加工形状２１までアプローチするためのアプローチ経路２３とがＣＡＭ装置に設定される。ここで、オペレータは、加工形状２１のうちの一部に切落とし区間２４を設定することができる。すると、ＣＡＭ装置は、（ｂ）〜（ｄ）の手順で加工を行うＮＣ加工プログラムを生成する。図３は、パンチ加工を行うＮＣ加工プログラムの構成を説明する図である。
【００１３】
即ち、最初のステップでは、（ｂ）に示すように、イニシャルホール２２を始点として、アプローチ経路２３を通って、加工形状２１のうちの切落とし区間２４の手前を終点とする経路で、荒加工が実行される。続いて、（ｃ）に示すように、加工形状２１のうちの切落とし区間２４を除く部分について仕上げ加工が実行される。例えば、（ｂ）での加工の終点を始点とし、切落とし区間２４の端点のうちの始点とは異なる端点を終点とし、（ｂ）にて加工が行われた経路を引き返すように加工形状２１上を加工される。（ｃ）に示した仕上げ加工が完了すると、ＮＣ加工プログラムは、自プログラムの実行を自ら停止して、オペレータによる再開指示の入力を待つ。前述したように、切落とし区間２４の切落とし加工は、オペレータによる現場でのサポートを要するからである。
【００１４】
再開指示が入力されると、切落とし区間の切落とし加工が実行される。即ち、（ｄ）に示すように、切落とし加工用に再びワイヤを通すアプローチ穴２５が空けられてワイヤが通された後、加工条件の切り替えが実行される。ここでは、加工条件とは、電極に印加する電圧やワイヤ速度などを含む、いわゆる電気条件と呼ばれるものである。切落とし加工の電気条件は、例えば荒加工の電気条件と同じものであってよい。加工条件の切り替え後、アプローチ穴２５から切落とし区間２４にアプローチするための経路２６に沿ってアプローチ加工され、切落とし区間２４の加工を経路２７に沿って実行され、切落とし区間２４の終点においては、経路２８に沿って逃げ加工される。
【００１５】
（ｂ）〜（ｄ）の手順は、中子（形状２）の数だけリピートされる。即ち、ＮＣ加工プログラムは、夫々の中子について（ｃ）のステップが終了する毎に再開指示の入力を要する。
【００１６】
なお、ダイ加工においても、（ａ）に示した設定がなされると、ＮＣ加工プログラムが生成される。図４は、ダイ加工を行うＮＣ加工プログラムの構成を説明する図である。ダイ加工の場合、ＮＣ加工プログラムが実行開始されると、（ｂ）の手順が実行された後、ＮＣ加工プログラムは自プログラムの実行を停止する。そして、再開指示が入力されると、（ｄ）に示した切落とし加工が実行され、再度プログラムの実行を停止する。そして、オペレータが中子を回収した後にオペレータによって再開指示が入力され、最後に、（ｃ）に示した仕上げ加工が実行される。ダイ加工の場合であっても、（ｂ）〜（ｄ）の手順は、中子（形状２）の数だけリピートされる。即ち、ＮＣ加工プログラムは、夫々の中子について（ｃ）のステップが終了する毎、および（ｄ）のステップが終了する毎に再開指示の入力を要する。なお、ダイ加工においては、イニシャルホール２２、経路２３、切落とし加工用のアプローチ穴２５、経路２６、経路２８は、形状２側に生成される。また、ダイ加工の場合には、（ｃ）の手順において、中子が切落とされた後の加工形状２１の全周が仕上げ加工されるようにしてもよい。
【００１７】
このように、比較例にかかる技術によれば、ＣＡＭ装置は、中子毎に一時停止するＮＣ加工プログラムが自動生成する。したがって、比較例にかかる技術を適用したＣＡＭ装置が生成したＮＣ加工プログラムを流用して、切落とし区間に設定された区間を中子固定加工する設定に変更したとしても、中子固定加工の前と後とに中子毎に一時停止してしまう。中子固定加工によれば、中子の抜け落ちが防止されるので、少なくともパンチ加工を実行する際にはオペレータのサポートのための停止は無駄な動作といえる。また、中子固定加工は、荒加工や仕上げ加工とは加工条件を変更するだけで実現されるので、中子固定加工の前にアプローチ加工を行ったり、中子固定加工の後に逃げ加工を行ったりすることは無駄加工となる。本発明の実施の形態の加工プログラム生成装置は、上記したような無駄な動作を極力実行しないＮＣ加工プログラムを生成することができる。
【００１８】
図５は、本発明の実施の形態の加工プログラム生成装置を適用したＣＡＭ装置の機能構成を示す図である。図示するように、ＣＡＭ装置１００は、ＣＡＤ（computer  aided  design）機能部１１０、ＣＡＭ機能部１２０、目的形状データ記憶部１３０および加工条件データベース１４０を備えている。
【００１９】
ＣＡＤ機能部１１０は、目的の形状を記述した図面データ（目的形状データ）の生成の支援を行う。オペレータは、ＣＡＤ機能部１１０を操作することによって、目的形状データを生成することができる。目的形状データは、目的形状データ記憶部１３０に格納される。なお、目的形状データは外部入力されて目的形状データ記憶部１３０に格納されるようにしてもよい。即ち、本実施の形態では、ＣＡＤ機能部１１０の実装は必須ではない。
【００２０】
ＣＡＭ機能部１２０は、入力受け付け部１２１と、加工条件・加工工程設定部１２２と、ＮＣ加工プログラム生成部１２３とを備えている。
【００２１】
入力受け付け部１２１は、目的形状データ記憶部１３０からの目的形状データの読出しと、オペレータから入力される設定入力２００の受け付けとを実行する。設定入力２００により入力される内容は、中子固定加工を行う箇所の指定（中子固定加工箇所指定）、イニシャルホールの加工箇所の指定、アプローチ経路の指定、パンチ加工であるかダイ加工であるかを示す加工タイプの指定などを含む。
【００２２】
加工条件・加工工程設定部１２２は、入力受け付け部１２１に入力された内容と目的形状データとに基づいて、加工形状要素毎に加工工程を記述した一覧情報を生成する。なお加工形状要素とは、ここでは、加工経路を構成する個々の線分をいう。加工工程は、加工形状要素に１つの加工属性が設定されたものをいう。加工属性には、荒加工と、仕上げ加工と、中子固定加工とが存在する。
【００２３】
加工条件データベース１４０は、加工属性毎に電気条件が登録されているデータベースである。加工条件・加工工程設定部１２２は、一覧情報を構成する夫々の加工工程に、加工条件データベース１４０に登録されている対応する電気条件を紐付け、紐付け後の一覧情報をＮＣ加工プログラム生成部１２３に入力する。
【００２４】
ＮＣ加工プログラム生成部１２３は、入力された一覧情報に基づいて加工工程の実行順番を決定する。そして、決定した実行順番で夫々の加工工程を実行するＮＣ加工プログラム３００を生成し、ワイヤ放電加工装置に出力する。なお、ＮＣ加工プログラム３００は、ブロック毎にワイヤ放電加工装置に出力され、ワイヤ放電加工装置では、送られてきたプログラムブロックが逐次実行されるようにしてもよい。
【００２５】
図６は、ＣＡＭ装置１００のハードウェア構成例を示す図である。ＣＡＭ装置１００は、ＣＰＵ（Central  Processing  Unit）３、ＲＡＭ（Random  Access  Memory）４、ＲＯＭ（Read  Only  Memory）５、入力装置６、表示装置７を備える。ＣＰＵ３、ＲＡＭ４、ＲＯＭ５、入力装置６、表示装置７は、バスラインを介して夫々接続されている。
【００２６】
表示装置７は、例えば液晶モニタなどの情報を表示可能な装置である。表示装置７は、オペレータに対する出力情報を表示する。入力装置６は、例えばマウスやキーボードを備えて構成され、オペレータからのＣＡＭ装置１００の操作情報や設定入力２００が入力される。入力された各種情報は、ＣＰＵ３へ送られる。
【００２７】
ＲＯＭ５は、加工プログラムの自動生成を実現する加工プログラム生成プログラム８を記録する記録媒体である。ＣＰＵ３は、ＲＯＭ５から加工プログラム生成プログラム８をバスラインを介して読み出して、ＲＡＭ４へロードし、ＲＡＭ４内にロードされた加工プログラム生成プログラム８を実行する。加工プログラム生成プログラム８は、ＲＡＭ４にロードされることによって、ＲＡＭ４上にＣＡＤ機能部１１０およびＣＡＭ機能部１２０が生成される。また、ＲＡＭ４は、加工プログラム生成プログラム８のプログラム展開領域のほか、加工プログラム生成プログラム８の実行に伴って生成される中間データを格納するワークエリアを備えている。例えば、加工工程の一覧情報はこの中間データに該当する。目的形状データ記憶部１３０、加工条件データベース１４０は、ＲＡＭ４、ＲＯＭ５、または図示しない外部記憶装置に対応する領域が確保されて実現される。
【００２８】
なお、加工プログラム生成プログラム８をインターネット等のネットワーク経由で提供または配布するように構成してもよい。また、ＲＯＭ５に代えて、一時的でない有形の媒体であればどのような記録媒体であっても、加工プログラム生成プログラム８のロード元となる記録媒体として採用することが可能である。例えば、外部記憶装置、着脱可能なメモリデバイス、光ディスク装置などを採用することが可能である。
【００２９】
次に、本発明の実施の形態のＣＡＭ装置１００がＮＣ加工プログラム３００を生成する方法について説明する。図７は、ＣＡＭ装置１００がＮＣ加工プログラム３００を生成する方法を説明するフローチャートである。ここでは、目的形状データは既に作成されて目的形状データ記憶部１３０に格納されているものとする。
【００３０】
図７に示すように、入力受け付け部１２１は、目的形状データ記憶部１３０に格納されている目的形状データを読み込む（ステップＳ１）。なお、入力受け付け部１２１は、読み込んだ目的形状データに描画されている目的形状に基づいて加工形状要素を生成する。具体的には、目的形状を線分に分解し、夫々の線分を加工形状要素とする。例えば、形状２は、図８に示すように、加工形状要素（加工形状要素４１〜４４）に分解される。
【００３１】
その後、入力受け付け部１２１は、設定入力２００の受け付けを行う（ステップＳ２）。図９は、設定入力の受け付け処理をさらに詳しく説明するフローチャートである。図示するように、入力受け付け部１２１は、加工タイプを指定する入力を受け付ける（ステップＳ１１）。ここでは、パンチ加工を指定する入力が入力されたものとする。続いて、入力受け付け部１２１は、イニシャルホールの位置を指定する入力を受け付ける（ステップＳ１２）。イニシャルホールの位置は、座標値の指定により指定されるようにしてもよいし、表示装置７に目的形状を表示するとともにポインティングデバイスによる当該目的形状上の位置指定により指定されるようにしてもよい。
【００３２】
続いて、入力受け付け部１２１は、アプローチ経路の指定の入力を受け付ける（ステップＳ１３）。アプローチ経路は、例えばアプローチ先の加工形状要素の指定により指定されるようにしてよい。ここでは、アプローチ先の加工形状要素として加工形状要素４３が指定されたものとする。すると、入力受け付け部１２１は、図１０に示すように、イニシャルホールに対応する加工形状要素４５およびアプローチ経路に対応する加工形状要素４６を生成するとともに、アプローチ経路と加工形状要素４３との交点で加工形状要素４３を２つの加工形状要素４７、４８に分割する。
【００３３】
続いて、入力受け付け部１２１は、中子固定加工箇所の指定の入力を受け付ける（ステップＳ１４）。中子固定加工箇所は、例えば次のようにして指定される。即ち、まず、中子固定加工を行う加工形状要素がポインティングデバイスにより指定される。図１１は、中子固定加工箇所の指定を受け付けるための表示画面例を示す図である。本図は、形状２の加工形状要素４７に対応する線分上にカーソル４９が置かれて当該線分がクリックされた状態の表示画面例を示している。これにより、加工形状要素４７のうちのクリック時のカーソルに近い側の端点５０が当該線分の基準点に設定される。そして、当該基準点から中子固定加工箇所までの距離ｘおよび中子固定加工箇所を行う区間ｙが入力される。図１２は、距離ｘおよび区間ｙの設定例を説明する図である。本図に示すように、加工形状要素４７の途中から加工形状要素４７の端点のうちの基準点５０とは異なる側の端点まで中子固定加工箇所に指定されたものとすると、入力受け付け部１２１は、図１３に示すように、加工形状要素４７を、中子固定加工箇所に指定された区間にかかる加工形状要素５１と指定されていない区間にかかる加工形状要素５２とに分割する。
【００３４】
ステップＳ１４の処理が完了すると、加工条件・加工工程設定部１２２は、一覧情報を生成し（ステップＳ３）、生成した一覧情報を構成する加工工程に加工条件データベース１４０に登録されている加工条件を設定する（ステップＳ４）。図１４は、加工条件が設定された一覧情報のデータ構造例を説明する図である。図示するように、一覧情報６００は、加工形状要素毎に１以上の属性が設定されていることが記述されたデータ構造を有する。属性の設定の手法はどのようなものであってよいが、例えば、パンチ加工が指定された場合には、形状２を構成する加工形状要素のうちの中子固定加工箇所に指定されていない加工形状要素（即ち、加工形状要素４２〜４４、４８、５１）は、荒加工属性および仕上げ加工属性の両方が設定され、中子固定加工箇所に指定されている加工形状要素５２は中子固定加工属性が設定され、アプローチ経路に該当する加工形状要素４６は荒加工属性が設定される。ここで、１つの加工形状要素に荒加工属性と仕上げ加工属性とが設定されている場合、その加工形状要素は、荒加工の加工工程と仕上げ加工の加工工程とが実行されることを示している。なお、本図の一覧情報６００によれば、加工形状要素は、ステップＳ４の処理により、加工属性毎に、加工条件データベース１４０から読み出された対応する加工条件が対応付けられている。
【００３５】
続いて、ＮＣ加工プログラム生成部１２３は、加工条件の設定が記述された一覧情報６００に基づいて、加工工程の実行順番を決定する（ステップＳ５）。ここで、中子固定加工は、ワイヤが中子固定加工箇所に到達したときに加工条件を中子固定加工用の加工条件に切り替えるだけで実現可能である。そこで、ＮＣ加工プログラム生成部１２３は、中子固定加工箇所に指定されている加工形状要素５２に接続され、中子固定加工箇所に指定されていない加工形状要素である加工形状要素５１を加工した後に、続けて加工形状要素５２そ中子固定加工するようにＮＣ加工プログラム３００を生成する。即ち、ＮＣ加工プログラム３００は、中子固定加工の前にアプローチ加工や一時停止を実行しない。具体的には、ＮＣ加工プログラム生成部１２３は、パンチ加工が指定されている場合には、例えば、荒加工、仕上げ加工、加工条件切り替え、中子固定加工の順で加工できるように、最も短い経路を選択して、加工工程の実行順番を決定する。
【００３６】
図１５は、ＮＣ加工プログラム生成部１２３により決定されるパンチ加工の場合の加工工程の実行順番を示す図である。まず、（ａ）に示すように、イニシャルホールに対応する加工形状要素４５を始点とし、加工形状要素４６、加工形状要素４８、加工形状要素４２、加工形状要素４１、加工形状要素４４、加工形状要素５１の順で荒加工する加工工程が実行される。次に、（ｂ）に示すように、加工形状要素５１、加工形状要素４４、加工形状要素４１、加工形状要素４２、加工形状要素４８の順で仕上げ加工する加工工程が実行される。最後に、加工条件を中子固定加工に切り替えた後、加工形状要素５２に対して中子固定加工する加工工程が実行される。
【００３７】
続いて、ＮＣ加工プログラム生成部１２３は、決定した実行順番で加工工程を実行するＮＣ加工プログラム３００を生成し（ステップＳ６）、動作を終了する。図１６は、パンチ加工を実行するＮＣ加工プログラム３００を示す図である。図示するように、このＮＣ加工プログラム３００によれば、荒加工、仕上げ加工の後、加工条件を切り替えて中子固定加工を行う一連の加工工程が、形状２毎に実行される。即ち、中子固定加工のためのアプローチ加工、逃げ加工が省略され、かつ、中子固定加工の実行前にＮＣ加工プログラム３００が停止状態とならないで加工が行われるので、比較例にかかる技術により生成されるＮＣ加工プログラムに比べて効率よくダイ加工を行うことができる。
【００３８】
次に、ダイ加工が指定された場合について説明する。
図１７は、ダイ加工が指定された場合の最終的な加工形状要素の構成を示す図である。図示するように、ダイ加工が指定された場合には、入力受け付け部１２１により、イニシャルホールに対応する加工形状要素４５およびアプローチ経路に対応する加工形状要素４６が形状１側ではなく形状２側に設定される。
【００３９】
ＮＣ加工プログラム生成部１２３は、ダイ加工が指定されている場合には、荒加工、加工条件切り替え、中子固定加工の順で中子毎に加工する経路のうち、最も短い経路を選択して、加工工程の実行順番を決定する。
図１８は、ＮＣ加工プログラム生成部１２３により決定されるパンチ加工の場合の加工工程の実行順番を示す図である。まず、（ａ）に示すように、加工形状要素４５を始点とし、加工形状要素４６、加工形状要素４８、加工形状要素４２、加工形状要素４１、加工形状要素４４、加工形状要素５１の順で荒加工する加工工程が実行される。次に、加工条件を中子固定加工に切り替えた後、（ｂ）に示すように、加工形状要素５２に対して中子固定加工する加工工程が実行される。形状２が除去された後、（ｃ）に示すように、加工形状要素５１、加工形状要素４４、加工形状要素４１、加工形状要素４２、加工形状要素４８、加工形状要素５１の順で仕上げ加工する加工工程が実行される。なお、（ｃ）の手順を構成する加工工程は、全ての中子が除去された後にまとめて実行される。
【００４０】
図１９は、ダイ加工を実行するＮＣ加工プログラム３００を示す図である。図示するように、このＮＣ加工プログラム３００によれば、荒加工の後に加工条件を切り替えて中子固定加工を行う一連の加工工程が、形状２毎に実行される。そして、全ての形状２について、上記一連の加工工程が実行された後、形状２毎に仕上げ加工が実行される。このように、中子固定加工のためのアプローチ加工、逃げ加工が省略され、かつ、中子毎に自プログラム３００の実行を一時停止するのではなく全ての中子について中子固定加工が完了した後に自プログラム３００の実行を一時停止して中子の除去を促すことができるので、比較例にかかる技術により生成されるＮＣ加工プログラムに比べて効率よくダイ加工を行うことができる。
【００４１】
以上述べたように、本発明の実施の形態によれば、入力受け付け部１２１は、中子を構成する目的形状のうちの中子固定加工を行う箇所の指定を受け付けて、目的形状から、中子固定加工を行う箇所に指定された加工形状要素５２と、中子固定加工を行わない加工形状要素５１と、を含む加工形状要素を生成し、加工条件・加工工程設定部１２２は、加工形状要素５２に中子固定加工を行うための加工条件を設定し、加工形状要素５１に荒加工または仕上げ加工を行うための加工条件を設定し、ＮＣ加工プログラム生成部１２３は、加工形状要素５１を荒加工または仕上げ加工した後、続けて加工形状要素５２を中子固定加工するＮＣ加工プログラム３００を生成する、ようにしたので、加工形状要素５２を中子固定加工する前にＮＣ加工プログラム３００は自プログラム３００を停止したりアプローチ加工したりする無駄な動作を行わない。即ち、本発明の実施の形態のＣＡＭ装置１００は、中子固定加工を効率よく実行するためのＮＣ加工プログラム３００を生成することができる。
【００４２】
また、入力受け付け部１２１は、ダイ加工であるかパンチ加工であるかを指定する入力を受け付けて、ＮＣ加工プログラム生成部１２３は、ダイ加工が指定されている場合には、加工形状要素５２を除く形状２の外周を構成する全ての加工形状要素（加工形状要素４８、４２、４１、４４）を荒加工するとともに加工形状要素５２を中子固定加工した後、自プログラム３００を一時停止し、自プログラム３００の再開後、中子が取り除かれた後のワークに対し、加工形状要素４８、４２、４１、４４、５１、５２を仕上げ加工するＮＣ加工プログラム３００を生成し、パンチ加工が指定されている場合には、加工形状要素５２を除く形状２の外周を構成する全ての加工形状要素（加工形状要素４８、４２、４１、４４）を荒加工し、当該荒加工の後、加工形状要素５２を除く形状２の外周を構成する全ての加工形状要素（加工形状要素４８、４２、４１、４４）を仕上げ加工し、その後に連続して加工形状要素５２を中子固定加工する、ＮＣ加工プログラム３００を生成する、ようにしたので、オペレータは、加工タイプを指定する入力を行うだけで自動的に無駄を低減した加工順番で加工するＮＣ加工プログラム３００を生成せしめることができるようになる。
【００４３】
また、加工対象の中子が複数存在する場合には、ＮＣ加工プログラム生成部１２３は、パンチ加工が指定されている場合において、複数の中子について中子固定加工が完了した後に自プログラム３００を一時停止するＮＣ加工プログラム３００を生成するので、ＣＡＭ装置１００は、中子毎に一時停止される加工プログラムを生成する比較例にかかる技術に比べて無駄を低減したＮＣ加工プログラム３００を生成することができる。
【産業上の利用可能性】
【００４４】
以上のように、本発明にかかる加工プログラム生成装置、加工プログラム生成方法、および記録媒体は、ワイヤ放電加工装置の数値加工を行うＮＣ加工プログラムを生成する加工プログラム生成装置、加工プログラム生成方法、および前記ＮＣ加工プログラムを生成するプログラムを記録した、コンピュータに読み取り可能な記録媒体に適用して好適である。
【符号の説明】
【００４５】
１、２、２ａ〜２ｄ  形状
４  ＲＡＭ
５  ＲＯＭ
６  入力装置
７  表示装置
８  加工プログラム生成プログラム
２１  加工形状
２２  イニシャルホール
２３  アプローチ経路
２４  区間
２５  アプローチ穴
２６〜２８  経路
４１〜４８、５１、５２  加工形状要素
４９  カーソル
５０  端点
１００  ＣＡＭ装置
１１０  ＣＡＤ機能部
１２０  ＣＡＭ機能部
１２１  入力受け付け部
１２２  加工条件・加工工程設定部
１２３  ＮＣ加工プログラム生成部
１３０  目的形状データ記憶部
１４０  加工条件データベース
２００  設定入力
３００  ＮＣ加工プログラム
６００  一覧情報
【図１】
2013161082.tif 000003
【図２】
2013161082.tif 000004
【図３】
2013161082.tif 000005
【図４】
2013161082.tif 000006
【図５】
2013161082.tif 000007
【図６】
2013161082.tif 000008
【図７】
2013161082.tif 000009
【図８】
2013161082.tif 000010
【図９】
2013161082.tif 000011
【図１０】
2013161082.tif 000012
【図１１】
2013161082.tif 000013
【図１２】
2013161082.tif 000014
【図１３】
2013161082.tif 000015
【図１４】
2013161082.tif 000016
【図１５】
2013161082.tif 000017
【図１６】
2013161082.tif 000018
【図１７】
2013161082.tif 000019
【図１８】
2013161082.tif 000020
【図１９】
2013161082.tif 000021
【手続補正書】
【提出日】平成24年10月31日(2012.10.31)
【手続補正１】
【補正対象書類名】明細書
【補正対象項目名】０００６
【補正方法】変更
【補正の内容】
【０００６】
上述した課題を解決し、目的を達成するために、本発明は、ワイヤ放電加工装置を動作させる加工プログラムを生成する加工プログラム生成装置であって、中子を構成する加工形状のうちの中子固定加工を行う箇所の指定を受け付けて、前記受け付けた指定内容に基づいて、前記加工形状を、中子固定加工を行う第１の加工形状要素と、当該第１の加工形状要素の一端に接続されている中子固定加工を行わない第２の加工形状要素と、前記第１の加工形状要素の他端に接続されている中子固定加工を行わない第３の加工形状要素とを含む加工形状要素に分割する入力受け付け部と、前記第１の加工形状要素に中子固定加工のための第１の電気条件を割り当て、前記第２と第３の加工形状要素に第１の電気条件とは異なる第２の電気条件を割り当てる、加工条件設定部と、前記第２と第３の加工形状要素を前記第２の電気条件で加工し、前記第２の加工形状要素の加工後に連続して前記第１の加工形状要素を前記第１の電気条件で加工し、その後に前記第３の加工形状要素を前記第２の電気条件で加工する加工プログラムを生成する加工プログラム生成部と、を備えることを特徴とする。
【手続補正２】
【補正対象書類名】明細書
【補正対象項目名】０００８
【補正方法】変更
【補正の内容】
【０００８】
【図１】図１は、ワイヤ放電加工装置による加工例を説明する図である。
【図２】図２は、比較例にかかる技術を用いたパンチ加工の手順を説明する図である。
【図３】図３は、比較例にかかる技術を用いて生成される、パンチ加工を行うＮＣ加工プログラムの構成を説明する図である。
【図４】図４は、比較例にかかる技術を用いて生成される、ダイ加工を行うＮＣ加工プログラムの構成を説明する図である。
【図５】図５は、本発明の実施の形態の加工プログラム生成装置を適用したＣＡＭ装置の機能構成を示す図である。
【図６】図６は、本発明の実施の形態のＣＡＭ装置のハードウェア構成例を示す図である。
【図７】図７は、本発明の実施の形態のＣＡＭ装置がＮＣ加工プログラムを生成する方法を説明するフローチャートである。
【図８】図８は、目的形状から加工形状要素が生成される様子を説明する図である。
【図９】図９は、設定入力の受け付け処理をさらに詳しく説明するフローチャートである。
【図１０】図１０は、イニシャルホール、アプローチ経路が生成され、加工形状要素が分割される様子を説明する図である。
【図１１】図１１は、中子固定加工箇所の指定を受け付けるための表示画面例を示す図である。
【図１２】図１２は、距離ｘおよび区間ｙの設定例を説明する図である。
【図１３】図１３は、加工形状要素が中子固定加工箇所に指定された区間と指定されていない区間とに分割される様子を説明する図である。
【図１４】図１４は、加工条件が設定された一覧情報のデータ構造例を説明する図である。
【図１５】図１５は、ＮＣ加工プログラム生成部により決定されるパンチ加工の場合の加工工程の実行順番を示す図である。
【図１６】図１６は、パンチ加工を実行するＮＣ加工プログラムを示す図である。
【図１７】図１７は、ダイ加工が指定された場合の最終的な加工形状要素の構成を示す図である。
【図１８】図１８は、ＮＣ加工プログラム生成部により決定されるダイ加工の場合の加工工程の実行順番を示す図である。
【図１９】図１９は、ダイ加工を実行するＮＣ加工プログラムを示す図である。
【手続補正３】
【補正対象書類名】明細書
【補正対象項目名】００３３
【補正方法】変更
【補正の内容】
【００３３】
続いて、入力受け付け部１２１は、中子固定加工箇所の指定の入力を受け付ける（ステップＳ１４）。中子固定加工箇所は、例えば次のようにして指定される。即ち、まず、中子固定加工を行う加工形状要素がポインティングデバイスにより指定される。図１１は、中子固定加工箇所の指定を受け付けるための表示画面例を示す図である。本図は、形状２の加工形状要素４７に対応する線分上にカーソル４９が置かれて当該線分がクリックされた状態の表示画面例を示している。これにより、加工形状要素４７のうちのクリック時のカーソルに近い側の端点５０が当該線分の基準点に設定される。そして、当該基準点から中子固定加工箇所までの距離ｘおよび中子固定加工箇所を行う区間ｙが入力される。図１２は、距離ｘおよび区間ｙの設定例を説明する図である。本図に示すように、加工形状要素４７の途中から加工形状要素４７の端点のうちの基準点５０とは異なる側の端点まで中子固定加工箇所に指定されたものとすると、入力受け付け部１２１は、図１３に示すように、加工形状要素４７を、中子固定加工箇所に指定された区間にかかる加工形状要素５２と指定されていない区間にかかる加工形状要素５１とに分割する。
【手続補正４】
【補正対象書類名】明細書
【補正対象項目名】００３７
【補正方法】変更
【補正の内容】
【００３７】
続いて、ＮＣ加工プログラム生成部１２３は、決定した実行順番で加工工程を実行するＮＣ加工プログラム３００を生成し（ステップＳ６）、動作を終了する。図１６は、パンチ加工を実行するＮＣ加工プログラム３００を示す図である。図示するように、このＮＣ加工プログラム３００によれば、荒加工、仕上げ加工の後、加工条件を切り替えて中子固定加工を行う一連の加工工程が、形状２毎に実行される。即ち、中子固定加工のためのアプローチ加工、逃げ加工が省略され、かつ、中子固定加工の実行前にＮＣ加工プログラム３００が停止状態とならないで加工が行われるので、比較例にかかる技術により生成されるＮＣ加工プログラムに比べて効率よくパンチ加工を行うことができる。
【手続補正５】
【補正対象書類名】明細書
【補正対象項目名】００３９
【補正方法】変更
【補正の内容】
【００３９】
ＮＣ加工プログラム生成部１２３は、ダイ加工が指定されている場合には、荒加工、加工条件切り替え、中子固定加工の順で中子毎に加工する経路のうち、最も短い経路を選択して、加工工程の実行順番を決定する。
図１８は、ＮＣ加工プログラム生成部１２３により決定されるダイ加工の場合の加工工程の実行順番を示す図である。まず、（ａ）に示すように、加工形状要素４５を始点とし、加工形状要素４６、加工形状要素４８、加工形状要素４２、加工形状要素４１、加工形状要素４４、加工形状要素５１の順で荒加工する加工工程が実行される。次に、加工条件を中子固定加工に切り替えた後、（ｂ）に示すように、加工形状要素５２に対して中子固定加工する加工工程が実行される。形状２が除去された後、（ｃ）に示すように、加工形状要素５１、加工形状要素４４、加工形状要素４１、加工形状要素４２、加工形状要素４８、加工形状要素５１の順で仕上げ加工する加工工程が実行される。なお、（ｃ）の手順を構成する加工工程は、全ての中子が除去された後にまとめて実行される。
【手続補正６】
【補正対象書類名】特許請求の範囲
【補正対象項目名】全文
【補正方法】変更
【補正の内容】
【特許請求の範囲】
【請求項１】
ワイヤ放電加工装置を動作させる加工プログラムを生成する加工プログラム生成装置であって、
中子を構成する加工形状のうちの中子固定加工を行う箇所の指定を受け付けて、前記受け付けた指定内容に基づいて、前記加工形状を、中子固定加工を行う第１の加工形状要素と、当該第１の加工形状要素の一端に接続されている中子固定加工を行わない第２の加工形状要素と、前記第１の加工形状要素の他端に接続されている中子固定加工を行わない第３の加工形状要素とを含む加工形状要素に分割する入力受け付け部と、
前記第１の加工形状要素に中子固定加工のための第１の電気条件を割り当て、前記第２と第３の加工形状要素に第１の電気条件とは異なる第２の電気条件を割り当てる、加工条件設定部と、
前記第２と第３の加工形状要素を前記第２の電気条件で加工し、前記第２の加工形状要素の加工後に連続して前記第１の加工形状要素を前記第１の電気条件で加工し、その後に前記第３の加工形状要素を前記第２の電気条件で加工する加工プログラムを生成する加工プログラム生成部と、
を備えることを特徴とする加工プログラム生成装置。
【請求項２】
前記第２の電気条件は荒加工のための電気条件または仕上げ加工のための電気条件である、ことを特徴とする請求項１に記載の加工プログラム生成装置。
【請求項３】
前記入力受け付け部はダイ加工であるかパンチ加工であるかを指定する入力を受け付けて、
前記加工プログラム生成部は、
ダイ加工が指定されている場合には、前記中子を構成する加工形状のうちの前記第１の加工形状要素を除く全ての加工形状要素を荒加工のための電気条件で加工するとともに前記第１の加工形状要素を第２の電気条件で加工した後、前記加工プログラムを一時停止し、前記加工プログラムの再開後、前記中子が取り除かれた後のワークに対し、前記第２の加工形状要素を仕上げ加工の電気条件で加工する、第１の加工プログラムを生成し、
パンチ加工が指定されている場合には、前記中子を構成する加工形状のうちの前記第１の加工形状要素を除く全ての加工形状要素を荒加工のための電気条件で加工し、荒加工のための電気条件での加工後、前記中子を構成する加工形状のうちの前記第１の加工形状要素を除く全ての加工形状要素を仕上げ加工のための電気条件で加工し、その後に連続して前記第１の加工形状要素を前記第１の電気条件で加工する、第２の加工プログラムを生成する、
ことを特徴とする請求項２に記載の加工プログラム生成装置。
【請求項４】
加工対象の中子が複数存在する場合には、前記第１の加工プログラムは、前記複数の中子について前記第２の電気条件での加工が完了した後に自プログラムを一時停止する、
ことを特徴とする請求項３に記載の加工プログラム生成装置。
【請求項５】
ワイヤ放電加工装置を動作させる加工プログラムを生成する加工プログラム生成方法であって、
中子を構成する加工形状のうちの中子固定加工を行う箇所の指定を受け付ける入力受け付けステップと、
前記受け付けた指定内容に基づいて、前記加工形状を、中子固定加工を行う第１の加工形状要素と、当該第１の加工形状要素の一端に接続されている中子固定加工を行わない第２の加工形状要素と、前記第１の加工形状要素の他端に接続されている中子固定加工を行わない第３の加工形状要素とを含む加工形状要素に分割する加工形状要素生成ステップと、
前記第１の加工形状要素に中子固定加工のための第１の電気条件を割り当て、前記第２と第３の加工形状要素に第１の電気条件とは異なる第２の電気条件を割り当てる、加工条件設定ステップと、
前記第２と第３の加工形状要素を前記第２の電気条件で加工し、前記第２の加工形状要素の加工後に連続して前記第１の加工形状要素を前記第１の電気条件で加工し、その後に前記第３の加工形状要素を前記第２の電気条件で加工する加工プログラムを生成する、加工プログラム生成ステップと、
を備えることを特徴とする加工プログラム生成方法。
【請求項６】
前記第２の電気条件は荒加工のための電気条件または仕上げ加工のための電気条件である、ことを特徴とする請求項５に記載の加工プログラム生成方法。
【請求項７】
前記入力受け付け部はダイ加工であるかパンチ加工であるかを指定する入力を受け付ける加工タイプ指定受け付けステップをさらに備え、
前記加工プログラム生成ステップにおいて、
ダイ加工が指定されている場合には、前記中子を構成する加工形状のうちの前記第１の加工形状要素を除く全ての加工形状要素を荒加工のための電気条件で加工するとともに前記第１の加工形状要素を第２の電気条件で加工した後、前記加工プログラムを一時停止し、前記加工プログラムの再開後、前記中子が取り除かれた後のワークに対し、前記第２の加工形状要素を仕上げ加工の電気条件で加工する、第１の加工プログラムを生成し、
パンチ加工が指定されている場合には、前記中子を構成する加工形状のうちの前記第１の加工形状要素を除く全ての加工形状要素を荒加工のための電気条件で加工し、荒加工のための電気条件での加工後、前記中子を構成する加工形状のうちの前記第１の加工形状要素を除く全ての加工形状要素を仕上げ加工のための電気条件で加工し、その後に連続して前記第１の加工形状要素を前記第１の電気条件で加工する、第２の加工プログラムを生成する、
ことを特徴とする請求項６に記載の加工プログラム生成方法。
【請求項８】
加工対象の中子が複数存在する場合には、前記第１の加工プログラムは、前記複数の中子について前記第２の電気条件での加工が完了した後に自プログラムを一時停止する、
ことを特徴とする請求項７に記載の加工プログラム生成方法。
【請求項９】
ワイヤ放電加工装置を動作させる加工プログラムをコンピュータに生成させる複数の命令を記録した記録媒体であって、
前記複数の命令は、前記コンピュータに、
中子を構成する加工形状のうちの中子固定加工を行う箇所の指定を受け付ける入力受け付けステップと、
前記受け付けた指定内容に基づいて、前記加工形状を、中子固定加工を行う第１の加工形状要素と、当該第１の加工形状要素の一端に接続されている中子固定加工を行わない第２の加工形状要素と、前記第１の加工形状要素の他端に接続されている中子固定加工を行わない第３の加工形状要素とを含む加工形状要素に分割する加工形状要素生成ステップと、
前記第１の加工形状要素に中子固定加工のための第１の電気条件を割り当て、前記第２と第３の加工形状要素に第１の電気条件とは異なる第２の電気条件を割り当てる、加工条件設定ステップと、
前記第２と第３の加工形状要素を前記第２の電気条件で加工し、前記第２の加工形状要素の加工後に連続して前記第１の加工形状要素を前記第１の電気条件で加工し、その後に前記第３の加工形状要素を前記第２の電気条件で加工する加工プログラムを生成する、加工プログラム生成ステップと、
を実行させる、ことを特徴とする記録媒体。
【手続補正７】
【補正対象書類名】図面
【補正対象項目名】図１５
【補正方法】変更
【補正の内容】
【図１５】
2013161082.tif 000022
【手続補正８】
【補正対象書類名】図面
【補正対象項目名】図１８
【補正方法】変更
【補正の内容】
【図１８】
2013161082.tif 000023
【国際調査報告】
2013161082.tif 000024
2013161082.tif 000025
2013161082.tif 000026
2013161082.tif 000027